Podtech/llm-jp-corpus-v4-ja_patent huggingface dataset:
(57)【要約】【課題】ビーチパラソル、庇、よしずおよびすだれ等の日除け具に類する、コンパクトで輸送、保管に便利な組立幕を提供する。【解決手段】シート（１）に、平行した複数の軸挿入筒体（２）を設け、平行した複数の軸挿入筒体（２）に挿入された挿入軸（３）と、固定素材（４）にシート固定部（５）をおおいかぶせた状態で、貫通孔１（６）、貫通孔２（７）、ネジ穴（８）を固定ネジ（９）で貫通固定し、シート（１）を、固定素材（４）に固定させたことを特徴とする。【選択図】  図１
2004160133.tif 000002
【特許請求の範囲】
【請求項１】
シート（１）に、平行した複数の軸挿入筒体（２）を設け、平行した複数の軸挿入筒体（２）に挿入された挿入軸（３）と、固定素材（４）にシート固定部（５）をおおいかぶせた状態で、貫通孔１（６）、貫通孔２（７）、ネジ穴（８）を固定ネジ（９）で貫通固定し、シート（１）が、固定素材（４）に固定された組立幕。
【発明の詳細な説明】
【０００１】
【発明の属する技術分野】
この発明は、ビーチパラソル、庇、よしずおよびすだれ等の日除け具に類する、組立幕に関するものである。
【０００２】
【従来の技術】
従来は、据え置き型の日除け具として、庇、よしずおよびすだれが使用され、移動携帯用の日除け具としては、ビーチパラソルを含むパラソルが使用されている。
【０００３】
【発明が解決しょうとする課題】
これら日除け具は次のような欠点があった。
庇は、軒からせり出させ、よしずは、屋外へ立て掛け、すだれは、吊り下げる。いずれも固定型での使用であり、携帯用としては重く、不便である。
パラソルは携帯用として便利である。しかし、個人使用と違って、ビーチパラソルの場合は、特に多人数で使用の場合、真ん中の支柱が邪魔になり、日陰スペース全体を有効利用できない、また、傘型のために大きくなり、傘骨のために重くなってしまう。
本発明は、以上のような欠点を無くすためなされたものである。
【０００４】
【課題を解決するための手段】
シート（１）に、平行した複数の軸挿入筒体（２）を設け、平行した複数の軸挿入筒体（２）に挿入された挿入軸（３）と、固定素材（４）にシート固定部（５）をおおいかぶせた状態で、貫通孔１（６）、貫通孔２（７）、ネジ穴（８）を固定ネジ（９）で貫通固定し、シート（１）を、固定素材（４）に固定させる。
本発明は、以上の構成よりなる組立幕である。
【０００５】
【発明の実施の形態】
以下、発明の実施の形態について説明する。
布・ビニール等のシート（１）に、平行した複数の布・ビニール等の軸挿入筒体（２）を設け、平行した複数の布・ビニール等の軸挿入筒体（２）に挿入された、竹・プラスチック・木材・金属等の挿入軸（３）と、竹・プラスチック・木材・金属等の固定素材（４）に、シート固定部（５）をおおいかぶせた状態で、貫通孔１（６）、貫通孔２（７）、ネジ穴（８）を固定ネジ（９）で貫通固定し、布・ビニール等のシート（１）を、竹・プラスチック・木材・金属等の固定素材（４）に固定させる。
シート固定部（５）をおおいかぶせる際に、シート固定部（５）と固定素材（４）にマジックテープを使い、シート（１）を固定素材（４）に貼り付け強化するのもよい。
また、挿入軸（３）および固定素材（４）は、継ぎ足しや引き伸ばし構造にすることによって、保管時の長さを短く調整できる。
本発明は、以上の構成よりなる組立幕である。
この組立幕は、シート（１）・挿入軸（３）・固定素材（４）の使用材質によって、軽量にも強固にも、大きくも小さくも、使用環境に合わせ製作できる。
実施にあたっては、一部の例外を除き、一般的には接続具を使用する。
図２は、組立幕を、ベランダ等で、例えば干し竿を支柱とし、すだれとしての使用例である。
図３は、垂直の棒等を支柱とし、支柱に取りつけた組立幕を、ビーチパラソルとして使用する例である。地面に対しての組立幕の取り付け角度は自由に変更できるようにする。
図４は、立てて使用した場合で、ベランダ等の横にわたった手すり等を支柱として、組立幕を、よしずとして使用できる、垂直面に対しての組立幕の取り付け角度は自由に変更できるようにする。
図５は、軒の一部を支柱として使用し、組立幕を、軒からせり出させた状態で、庇としての使用例である。
以上が、日除け具としての使用例である。
本発明の組立幕は、組立幕面に宣伝やコメントを書き込むことにより、広告板としても応用できる。図２、図４は、組立幕を、広告板として使用する例でもある。
また、シート（１）を大きくし、固定素材（４）を地面に固定する状態にすることにより、支柱とか接続具を使わない使用例で、建築現場等で、移動仮設塀としても利用できる。図６は、移動仮設塀として使用する例である。
シート（１）は、上下左右のいずれかを挿入口とした袋状にすることにより、中に写真を入れて、写真立てとして、また、パソコン等からの出力用紙やチラシを入れて広告用としても使用できる。図７は、写真立てとして使用する例である。
【０００６】
【発明の効果】
ビーチパラソルは携帯用として便利であるが、真ん中の支柱が邪魔になり、日陰スペース全体を有効使用できない、また傘型のために大きくなり、支柱および傘骨のために重くなってしまう。
本発明の組立幕は、日陰スペース全体を有効使用でき、また構造も簡単で、軽量、コンパクトに製作できる。組立幕の大きさは、シート（１）の大きさにより決まり、大きくも、小さくもできる。大きくしたり小さくしたりして、一般的に固定的な使用環境である、庇、よしず、すだれとしても使用できる。
使用していない場合、シート（１）は、折りたたんで小さくできる、挿入軸（３）および固定素材（４）は、継ぎ足しや引き伸ばし構造にすることによって、長さを調整できる。軽量、コンパクトに仕上げることができるため、輸送と保管が便利である。
【図面の簡単な説明】
【図１】本発明の分解斜視図である。
【図２】本発明の、すだれ・広告板として使用する実施例の斜視図である。
【図３】本発明の、ビーチパラソルとして使用する実施例の斜視図である。
【図４】本発明の、よしず・広告板として使用する実施例の斜視図である。
【図５】本発明の、庇として使用する実施例の斜視図である。
【図６】本発明の、移動仮設塀として使用する実施例の斜視図である。
【図７】本発明の、写真立てとして使用する実施例の斜視図である。
【符号の説明】
１  シート
２  挿入筒体
３  挿入軸
４  固定素材
５  シート固定部
６  貫通孔１
７  貫通孔２
８  ネジ穴
９  固定ネジ
１０  組立幕
１１  接続具
１２  支柱
１３  台座
【図１】
2004160133.tif 000003
【図２】
2004160133.tif 000004
【図３】
2004160133.tif 000005
【図４】
2004160133.tif 000006
【図５】
2004160133.tif 000007
【図６】
2004160133.tif 000008
【図７】
2004160133.tif 000009
(57)【要約】【課題】洋式トイレの着座姿勢に馴染めず排泄が困難な場合がある。この課題は幼児にも当てはまる事があり、洋式トイレではトイレトレーニングが困難な場合がある。【解決手段】座面１には貫通部２が設けられ周囲には壁面５が設けられている。座面前方には握り手３が設けられ、座面前方下部には脚部４が設けられている。【選択図】図１
2004160131.tif 000002
【特許請求の範囲】
【請求項１】
洋式便座に脱着自在に取り付ける事が出来かつ所定位置に握り手を有し、座面周囲を囲いで取り囲まれた洋式トイレ用補助便座。
【請求項２】
洋式便座に取り付ける事により洋式トイレを和式トイレとして利用可能である事を特微とする洋式トイレ用補助便座。
【発明の詳細な説明】
【０００１】
【発明の属する技術分野】
この発明は、洋式トイレ便座に関する。
【０００２】
【従来の技術】
従来の洋式トイレは椅子に座るような姿勢にて着座し排便するのである。
【０００３】
【発明が解決しようとする課題】
しかしながら、以上の従来技術によれば、洋式トイレでの着座姿勢に馴染めず排泄しにくく感じることがある。
仮に洋式トイレの便座で和式トイレの着座姿勢をしても周囲に体を支える部分が無く不安定となる。
この課題は幼児にも当てはまる事があり、洋式トイレではトイレトレーニングが困難な場合がある。
そこで、この発明は、和式トイレでの着座姿勢を可能とする事と着座時の安心感と幼児のトイレトレーニングにも使用できる洋式トイレ用補助便座を提供することを課題とする。
【０００４】
【課題を解決するための手段】
以上の課題を解決するために、請求項１の発明は、洋式便座に脱着自在に取り付ける事が出来かつ所定位置に握り手を有し、座面周囲を囲いで取り囲まれた洋式トイレ用補助便座である。
また、請求項２の発明は、洋式便座に取り付ける事により洋式トイレを和式トイレとして利用可能である事を特徴とする洋式トイレ用補助便座である。
【０００５】
【発明の実施の形態】
この発明の一実施形態を、図１に示す。
洋式トイレ用補助便座の本体は木製または樹脂製であり、座面１には貫通部２が設けられ周囲には壁面５が設けられている。
座面前方には握り手３が設けられ、座面前方下部には脚部４が設けられている。この洋式トイレ用補助便座を設置した状態を図２に示す。
【０００６】
「実施形態の効果」
この実施形態によれば、座面１で便座の平面面積を広げ、壁面５と握り手３の働きで着座姿勢を安定させやすく、脚部４で本体を安定させる。
【０００７】
「他の実施形態」
図１の実施形態では、貫通部２に金隠しが設けられていないが、他の実施形態では、金隠しを設けたものでも良い。
【０００８】
【発明の効果】
以上説明したように、この発明によれば、便座の平面面積を広げ、周囲に壁面と前方に握り手を設けたので、安定した和式トイレの着座姿勢が可能となる。
【０００９】
また、洋式トイレでの着座姿勢に馴染めない幼児のトイレトレーニングも可能となる。
【図面の簡単な説明】
【図１】本発明の斜視図である。
【図２】本発明の洋式トイレでの使用状態を示す斜視図である。
【符号の説明】
１  座面                          ２  貫通部
３  握り手                        ４  脚部
５  壁面
【図１】
2004160131.tif 000003
【図２】
2004160131.tif 000004
(57)【要約】【課題】角型ハンガー等に干した洗濯物をにわか雨や埃から防護したり、人目につかないようにするためのカバーを提供する。【解決手段】平面状のカバーをかぶせて、垂れ下がった部分をすぼめる装置を施すことで、常に全体を覆い、にわか雨や埃や人目から洗濯物を防護する。【選択図】図２
2004160134.tif 000002
【特許請求の範囲】
【請求項１】
通気性と撥水性を有する素材で作る平面状の物で、真中に開けた穴から、洗濯物を干す角型ハンガー等の掛止め金具を通してハンガーの上面を覆うと共に、ハンガーの周縁部位置から適宜長さだけ垂れ下がるように形成して、その垂れ下がった部分が風等で翻らないように裾の広がりを適度にすぼめることのできる装置をつけたカバーである。ハンガーの上面を覆う部分に、リトマス紙やペーハー試験紙等を装着できる差込ポケットを施して、酸性雨の酸性度を測れるようにしてある。
【発明の詳細な説明】
【０００１】
【発明の属する技術分野】
本発明は、通気性、撥水性のある布を、洗濯物干しハンガーの上から全体を覆うようにして使い、にわか雨や埃から防護したり、他人の目につかないようにしたりする装置に係る物である。
【０００２】
【従来の技術】
洗濯物を乾かすために、角型ハンガー等いろいろなタイプの物干しが提案され、開発されている。雨が降り始めると、それらを急いで取り込んだり、下着等は、人目につかないように、内側に配置して干したり、上からタオル等をかけて見えないようにしている。花粉が飛ぶ頃は、なるべく外で干さないようにするか、取り込む時によく振り払うようにしている。鳥の糞がついた時は、もう一度洗って干している。
【０００３】
【発明が解決しようとする課題】
従来の技術でのべたもののうち、タオル等を上にかけるのでは、風で飛んだり、部分的にしか洗濯物をカバーできないという問題点を有していた。雨に気づいてから取り込むのでは、少し濡れてしまってもやむを得なかった。ところが、昨今、酸性雨の影響がいわれて久しいが、特に降り始めの雨に毒性が多く含まれているという。この降り始めの雨に濡れないようにするという課題も解決しようとするものである。
【０００４】
【課題を解決するための手段】
穴にハンガーの掛止め金具を通すことで、カバーが風等で飛んで行かないようにした。図２、図３、図４のように裾の広がりを絞れるようにして、洗濯物の全体が常にカバーで覆われるようにした。図１のように平面状の簡単な構造にして、手軽に使えるようにし、また、形、大きさの異なるいろいろなハンガーにも対応できるようにした。色は、吸熱性の高い黒か黒っぽいのにして、中の洗濯物がよく乾くようにした。撥水性のある素材を使って、にわか雨に降られてもあまり濡れないようにした。リトマス紙等をつけて、酸性雨の実態がわかるようにした。
【０００５】
【発明の実施の形態】
以下、本発明の実施の形態について説明する。
（イ）．図１は、横３５ｃｍ縦６０ｃｍの角型ハンガーに合う形を考えた図である。ハンガーの周縁部から適宜長さ垂れ下がるようにすると、本体はこのような形と大きさになる。真中に十字切れこみを施し、その周辺部を補強する。真中近くに差込式ポケットを作り、リトマス紙等が入れられるようにする。そして、本体の周辺にリングをつけて、それにひもを通して、紐を絞る為のビーズをつけてある。紐は、７のところで本体に縫い付けてある。
（ロ）．図２は、図１の物をハンガーにかけて、紐を絞ったところの図である。（ハ）．図３は、紐の代わりにゴムを通した例の図である。
（ニ）．図４は、本体の周縁部をしわ加工、プリーツ加工等した例の図である。
【０００６】
【発明の効果】
少雨の予想される時、留守にする時などにかけておくと、洗濯物をにわか雨や埃から防護することができる。また、人目につかないようにできる。しかも、通気性、吸熱性のある素材を使っているので洗濯物は乾きやすい。
【図面の簡単な説明】
【図１】本発明の本体にビーズと紐を付けた平面図である。
【図２】図１のものをハンガーにかけて、紐を絞った図である。
【図３】紐の代わりにゴム紐を使ったカバーの使用状況である。
【図４】本体の周縁部にしわ加工やプリーツ加工を施したものの使用状況を示す図である。
【符号の説明】
１  本体
２  十字切れこみ
３  補強
４  リング
５  紐
６  ビーズ
７  紐縫い付け個所
８  差込ポケット
９  角型ハンガーのわく
１０  ゴム紐
【図１】
2004160134.tif 000003
【図２】
2004160134.tif 000004
【図３】
2004160134.tif 000005
【図４】
2004160134.tif 000006
(57)【要約】【課題】歯の隙間に入りにくかった糸状の楊枝の形態を変え、食べ物かすが一度に無理なく除去できるようにする。【解決手段】今まで、太めで歯の隙間に入りにくかった糸状の楊枝を薄いテープ状のポリエチレンにすることで、どんな隙間でも入ることができ、一度に多くのかすを除去できる。【選択図】  図１
2004160132.tif 000002
【特許請求の範囲】
【請求項１】
テープ型のポリエチレン材質の楊枝。
【発明の詳細な説明】
【０００１】
【発明の属する技術分野】
本発明は歯と歯が詰まっている人の歯にも容易に歯の隙間に入る。
【０００２】
【従来の技術】
従来は、糸の楊枝で歯の隙間に入りにくく、使い難かった。
【０００３】
【発明が解決しようとする課題】
本発明は、薄型のポリエチレンをテープ状にすることによって、歯の隙間かすを容易に除去できる。
【０００４】
【課題を解決するための手段】
糸状の楊枝を薄型のポリエチレンのテープに変えることにより、より簡単に歯の隙間に入ることができる。
【０００５】
【発明の実施の形態】
薄型のポリエチレンのテープ状の楊枝。
【０００６】
【実施例】
コンビニエンスストアの袋などに使われている、薄型のポリエチレンをテープ状にして歯と歯の隙間に入れ、食べかすを除去する。
【０００７】
【発明の効果】
糸状の楊枝では入り込めなかった歯と歯の隙間にも入ることが出来る。
【図面の簡単な説明】
【図１】テープ楊枝の形である。
【符号の説明】
１  極めて薄い約１ｃｍ幅のポリエチレン製テープ。
２  極めて薄い約１ｃｍ幅のポリエチレン製テープをロール状に丸めたもの。
３  極めて薄い約１ｃｍ幅のポリエチレン製テープをカットするもの。
４  極めて薄い約１ｃｍ幅のポリエチレン製テープを押さえておく板。
【図１】
2004160132.tif 000003
(57)【要約】【目的】生体内の一点へ体外からのＸ線投射により計測された数値によりガイド針を誘導する装置である。【構成】生体内の一点を三次元的に計測する装置とガイド針を一定の角度で刺入し誘導する消毒容易な装置。【選択図】    図１
2004160136.tif 000002
【特許請求の範囲】
【請求項１】
生体内の一点に対して生体外よりＸ線等を用いて三次元的に計測し、ガイド針を誘導する装置
【請求項２】
本装置においてガイド針を装着する部位を取りはずして消毒を容易にできる装置
【発明の詳細な説明】
この発明は生体内の一点を、生体外の計測値によってガイド針を生体内の一点へ確実に誘導する装置である。
従来は、生体内の一点へガイド針を刺入する際、主に術者の「カン」とＸ線透視の「画像」にたよっていた。
本発明は高度の熟練によってのみ可能であったこれらの困難と欠点を除くためになされたもので、これを図面について説明すれば、Ｘ線の投影によって生体内の一点を計測し、その計測によって決定した一定の角度によってガイド針を刺入すれば、ガイド針を確実に生体内の一点へ誘導することがでる。
【図面の簡単な説明】
【図  １】本発明の斜視図である。
【図  ２】本発明の使用中の斜視図である。
【図  ３】ガイド針装着部位の詳細図である。
【符号の説明】
（１）基準となる底面を測定する装置  （２）基準となる軸より生体内の一定への長さを測定する装置  （３）底面よりの長さを調節し、ガイド針を刺入する装置
【図１】
2004160136.tif 000003
【図２】
2004160136.tif 000004
【図３】
2004160136.tif 000005
(57)【要約】【課題】最近、多く普及している、腰掛式の様式便器で男性が小便をする際に、飛散する尿から便器本体の汚損を防止する、様式便器用カバーを提供する。【解決手段】様式便器の本体開口部を囲む様に、リム部を覆う部分と、便器側壁を覆う下部延長部と、更に便座裏側の便座取付け部を覆う前面部とを含み、リム部内壁に沿って、カバー上部を押さえる、内側押さえバンドと、便器側壁に沿って、下部延長部を押さえる外側押さえバンドを設けたものである。【選択図】      図５
2004160140.tif 000002
【特許請求の範囲】
【請求項１】
洋式便器（１）の本体開口部（２）を囲む様に、リム部（３）を覆う部分と、便器側壁（５）を覆う下部延長部と、更に便座裏側（６）の便座取付け部（７）を覆う前面部とを含む、便器カバーであって、前記本体開口部（２）内にリム部内壁（４）にそって、上部カバー（Ａ）を押さえる、内側押さえバンド（Ｄ）と、便器側壁（５）にそって、下部カバー（Ｂ）を押さえる外側押さえバンド（Ｅ）を設け、上記便器カバーを便器リム部内壁（４）から便器側壁（５）に取付けて、上記押さえバンドにより、固定することを特徴とする様式便器用簡易カバー。
【請求項２】
前記内側押さえバンド（Ｅ）に、本体開口部内壁面に向かって、突起（Ｆ）を複数設けたことを特徴とする請求項１記載の様式便器用簡易カバー。
【発明の詳細な説明】
【０００１】
【発明の属する技術分野】
本発明は、様式便器で男性が小便する際に、飛散する小便から便器本体の汚染を防止する、取替え式便器カバーに関する。
【０００２】
【従来の技術】
従来、便器には、大便用のものと、男性が立った姿勢で使用する小便用のものとが有ったが、最近、多く普及している、腰掛式の様式便器では、男性が小便をする際、便座を開け立った姿勢で大便用の便器に放尿する。
従来、便座及びフロアなどに使用するカバーや、又飛散防止用のカバーとしては、特願２０００−２６８７３２があった。
【０００３】
【発明が解決しようとする課題】
しかしながら、上記の様な姿勢で男性が放尿した場合、便器開口部から離れているため便器リム部の上面や便座の裏側などが、尿の飛散により汚損し、衛生的に問題があるばかりでなく、他の使用者に対しても不快な感じを与えるものであった。
【０００４】
又従来の便座カバーなどは、便座の上面を覆うもので、男性が小便をする際には、便座を上げた状態で使用するので、小便の飛散防止用としては、用を足さないものであった、更に、フロアカバーは、フロアの汚損防止には、有効であるが便器本体の汚損は、防ぐことが出来なかった。
この様な問題を解決するために考案されたのが特願２０００−２６８７３２であった、これは本体開口部にリム部に沿って側壁を設けるもので、開口部を上げることで小便の飛散を防止するものであった。
しかし上記の側壁だけでは、完全に飛散を防ぐことができないもので、又該側壁自体の汚損の問題もあった。
この様な問題を解決するために本発明は、成された物で、リム部から本体側壁に沿って全体を覆うことで、便器本体自体の汚損を完全に防止するものである。
【０００５】
【課題を解決するための手段】
洋式便器の本体開口部を囲む様に、リム部を覆う部分と、便器側壁を覆う下部延長部と、更に便座裏側の便座取付け部を覆う前面部とを含む便器カバーである。
これは、男性が立った姿勢で小便をする際に、小便の飛散によって汚損の危険の有るところを覆うものである。
【０００６】
前記本体開口部内のリム部内壁にそって、カバー上部を押さえる、内側押さえバンドと、便器側壁にそって、下部延長部を押さえる外側押さえバンドを設けるものである。
【０００７】
前記便器カバーを便器リム部内壁から便器側壁に取付けて、前記押さえバンドにより、固定するものである。
【０００８】
前記内側押さえバンドに、本体開口部内壁面に向かって、突起を複数設けたものである。
【０００９】
【発明の実施の形態】
本発明の実施の形態を実施例にもとづき図面を参照して説明する。
図１において、本発明は、洋式便器（１）の本体開口部（２）を囲む様に、リム部（３）を覆う上部カバー（Ａ）と、便器側壁（５）を覆う下部に延長する下部カバー（Ｂ）と、更に便座裏側（６）の便座取付け部（７）を覆う前面部カバー（Ｃ）と、それぞれのカバーを押さえる内側押さえバンド（Ｄ）と外側押さえバンド（Ｅ）から構成されている。
【００１０】
本発明の便器カバーを使用する場合、前記本体開口部（２）を囲んで、リム部内壁（４）からリム部（３）を覆う様に、上部カバー（Ａ）を設け、該上部カバー（Ａ）を内側押さえバンド（Ｄ）で押さえる。
【００１１】
次に、リム部（３）から便器側壁（５）にそって下部に下部カバー（Ｂ）を、便器側壁（５）を囲む様に設け。該下部カバー（Ｂ）を外側押さえバンド（Ｅ）で押さえる。
【００１２】
更に、便座裏側（６）から便座取付け部（７）を覆い、本体開口部（２）に延びる前面部カバー（Ｃ）設ける。
【００１３】
又、前記内側押さえバンド（Ｄ）に、本体開口部内壁面に向かって、該内側押さえバンド（Ｄ）が外れるのを防ぐ為の突起（Ｆ）を複数設ける。
【００１４】
実際に男性が使用する際は、小便をして尿が飛散し、ある程度汚損がひどくなった場合は、そのままカバー全体を剥がして廃棄するものである。
【００１５】
前記前面部カバー（Ｃ）は、両面テープにより、便座裏側（６）に貼り付けるもので、該前面部カバー（Ｃ）は、最も汚損のひどい部分に使用するもので、頻繁に取換えることが出来るものである。
【００１６】
【発明の効果】
本発明は上記した構成を成すもので、以下に記載されるような効果を奏する。
【００１７】
男性が立った姿勢で小便をする際に、小便の飛散によって汚損の危険の有るところを覆うもので、これにより便器本体の汚損を防ぎ、掃除などの手間を軽減するものである。
【００１８】
取り付けも簡単に出来押さえバンドにより、完全に固定されるものである。
又使用後は、簡単に取り外しすることが出来、そのままゴミとして廃棄することができる。
【００１９】
【図面の簡単な説明】
【図１】本発明の実施例を示す平面図
【図２】本発明の実施例を示す正面図
【図３】本発明の実施例を示す側面図
【図４】本発明の実施例を示すＡ〜Ａ’断面図
【図５】本発明の実施例を示す斜視図
【図６】本発明の実施例を示す部分拡大断面図
【図７】本発明の実施例を示す部分拡大断面図
【符号の説明】
１  様式便器
２  本体開口部
３  リム部
４  リム部内壁
５  便器側壁
６  便座裏側
７  便座取付け部
Ａ  上部カバー
Ｂ  下部カバー
Ｃ  前面部カバー
Ｄ  内側押さえバンド
Ｅ  外側押さえバンド
Ｆ  突起
【図１】
2004160140.tif 000003
【図２】
2004160140.tif 000004
【図３】
2004160140.tif 000005
【図４】
2004160140.tif 000006
【図５】
2004160140.tif 000007
【図６】
2004160140.tif 000008
【図７】
2004160140.tif 000009
(57)【要約】      （修正有）【課題】車椅子に乗っている人体が車椅子に乗りながらにして排便、排尿を可能にした車椅子に装着する排便排尿自動処理便器を提供する。【解決手段】排便、排尿時は自身の意思又は意思によらなくても検知センサー５により検知し、自動、手動にかかわらず車椅子１に乗りながらにして排便排尿が可能で、事後は洗浄噴射ノズル６によって洗浄、温風乾燥ノズル９によって乾燥、臭気の排気を排気管及温風発生送風装置並びにセンサーボックス１３で行う。【選択図】図１
2004160137.tif 000002
【特許請求の範囲】
【請求項１】
車椅子（１）に乗った人体（２）が乗りながらにして排便、排尿を可能にした便器付車椅子で防水布ビニール、ゴム類によって着脱出来る人体装着パンツ（３）、下部便器（４）に検知センサー（５）を備え、温水洗浄噴射ノズル（６）を肛門（７）排尿器（８）に、温水を噴射するようにして、排便排尿後は温風乾燥ノズル（９）及び排気管（１０）により乾燥可能にし、排便排尿時は自動又は手動選択スイッチボタンの操作により、排便排尿、洗浄、乾燥をするようにしたことを特徴とした装置であり、便器（４）下部には、排便槽（１１）、温水層（１２）、温風発生送風装置並びセンサーボックス（１３）、排気管（１０）等、処理機能を有する処理ユニットによって構成される『車椅子に装着する排便排尿自動処理便器』である。
【発明の詳細な説明】
【０００１】介護生活上の利用分野
車椅子を必要とする身体障害者、重病人の人達の病院又はそれに類する施設、家庭内における排便、排尿には介護人の労務は多大な疲労があり、車椅子を必要とする人達も精神的苦痛、肉体的苦痛のため不便さを感じ、大きな社会問題にもなっているのが実情である、又介護人の付き添う時間も限られ、この社会問題の改善が早急に求められています。
本発明は今までの不便さを車椅子を乗りながらにして自動又は任意の手動により排便排尿、乾燥を行い、さわやかな生活を実現させることが出来る。病院や各施設又、家庭内の介護において、この便器付き車椅子を採用することにより、介護人の人件費の節約はもちろんのこと、我が国も老人社会を迎えつつある今日、車椅子を必要とする人達に勇気と希望、安心感を与えることが出来る。今後利用分野は多大でありその拡大は計り知れない。
【０００２】従来の技術
従来車椅子に乗りながら排便、排尿を介護人なしで可能にしている車椅子は例がなく、ましてや洗浄、乾燥処理できるものはありません。おしめカバーが現在使い捨て紙おむつが代表的なものであり、後始末は介護人が行うしかなく、これとて全く衛生的なことは無く、又車椅子を必要とする人達には全く効果が無く、たとえ車椅子に便器付があったとしてもこの発明とは考えを異にするものである。
【０００３】発明が解決しようとする課題
車椅子を必要とする身体障害者、歩行困難な人達に車椅子に乗りながら自動又は手動により排便、排尿、乾燥を可能にし、車椅子が必要な人はもちろんのこと付添の介護人の疲労と時間的節約を極力減少させ、精神的、肉体的にも安心感を与え、豊かな希望を与えることを目的として、今までの不便さを解決しようとする発明である。
【０００４】課題を解決しようとする手段
この発明は車椅子を必要な不自由な人達に、車椅子下部に便器を具備させ、ビニール、ゴム類の軟性質材で人体に柔らかな材質で作られた、パンツを人体に装着することにより、自身の任意の排便排尿時、又は任意でなくとも検知センサーにより自動的に、車椅子に乗りながらにして行為を行うことができる。そして事後は介護人の手をかりる必要も無く、他の人に遠慮も無く、自由に行うことにより精神的、肉体的疲労も無く今までの不便さを解消できるのである。
【０００５】作用
この発明は車椅子に乗りながらにして、排便排尿、乾燥を一行程で行うようにする、便器付車椅子で、人体に柔らかい材質で出来ている人体装着パンツとで主体を成している。車椅子の下部の便器は軟性樹脂で出来ている便器で、その内部には排便、排尿を検知するセンサーを備え、その検知により、同じく排便口の肛門と排尿口に、向け温水を噴射するノズルを固定させ、又洗浄後は温風噴射ノズルにて各々の部分を乾燥させ、又便器には排便層と温水層、乾燥用の温風発生送風装置、臭気を外気に導く排気管で構成される処理ユニット本体とによって作用される。
【０００６】実例集
この発明の実施例を図に従って説明する。
第一図、車椅子（１）上に乗っている人体（２）に、取り外し自由にした防水布製のパンツを装着させ、車椅子下部に便器を装備している。便器には検知センサー（５）と洗浄する温水噴射ノズル（６）及び乾燥用温風噴射ノズル口（９）及排気管（１０）を装備している。又取りはずし自在な排便層（１１）と温水槽（１２）温風発生送風装置並びにセンサーボックス（１３）排気管（１０）で構成する処理ユニット本体がある。したがって、排便、排尿時は自動又は任意の手動によってすべての処理がスムーズに行われるようになっている。
第二図、第三図は車椅子を後方より見て、排便口の肛門と排尿口に温水噴射ノズル（６）より出る温水噴射の詳細を示しており、又乾燥温風噴射ノズル（９）臭気の排気口（１０）便器の水封トラップ（１４）の図示である。
第四図は車椅子を上方向より見た図示で、人体に装着するパンツ（３）車椅子座席（１５）と便座（１６）、人体と便器との状態を図示している。
このようにして車椅子に前記の便器（３）を付けることにより、車椅子（１）に乗っている人や介護人の不便さを解消することが出来る。
【０００７】発明の効果
この発明の効果は
【０００１】から
【０００４】に記載するごとく、車椅子に乗りながらにして車椅子上で排便、排尿を他の人に遠慮なく、自身の意思によらなくても出来る。又、乾燥もでき、臭気も排気させるため他の人に迷惑をかけずに済み、介護人の手伝いがなくてもよいので精神的苦痛もなく又肉体的疲労も少なくて排便排尿行為が可能であり、付添人が常時必要なくて済む。車椅子を必要とする人達が豊かな安定した生活を営むことが約束できる。我が国は世界的にも科学、文化は進んでいますが、福祉国家としては進んでいないのが現状である。したがって本発明を採用することにより波及効果は多大である。
【図面の簡単な説明】
【第１図】本発明の内部全体説明図
【第２図】便器付車椅子の後方図
【第３図】便器付車椅子の上方図１
【第４図】便器付車椅子の上方図２
【符号の説明】
（１）  車椅子
（２）  人体
（３）  人体装着パンツ
（４）  便器
（５）  検知センサー
（６）  温水洗浄噴射ノズル
（７）  人体の肛門
（８）  人体の排尿器
（９）  温風乾燥ノズル
（１０）臭気の排気管
（１１）排便槽
（１２）温水層
（１３）温風発生送風装置並びにセンサーボックス
（１４）便器の水封トラップ
（１５）車椅子座席
（１６）便座
【図１】
2004160137.tif 000003
【図２】
2004160137.tif 000004
【図３】
2004160137.tif 000005
【図４】
2004160137.tif 000006
(57)【要約】［課題］  従来のスリッパでは、体を回してスリッパを履いたり体を回してスリッパを脱いだりしなくてはならない。［解決手段］  図１の足甲受け（ロ）をスライドするようにしたことにより、前後スリッパの前方から足を入れ、足甲受け（ロ）をスライドさせて履ける。これにより問題は解決できるのである。【選択図】          図１
2004160129.tif 000002
【特許請求の範囲】
【請求項１】
図１の底板（イ）に、スライドレール（ハ）（ニ）と足甲受け（ロ）を付け、スライド止め（ホ）（ヘ）のついた前後から履けるスリッパ
【発明の詳細な説明】
【０００１】
［発明の属する技術分野］
本発明は前後から自由に履くことの出来るスリッパである。
【０００２】
［従来の技術］
従来のスリッパは一方向からしか履くことが出来なかった。
【０００３】
［発明が解決しようとする課題］
従来のスリッパでは、体を回してスリッパを履いたり、体を回してスリッパを脱いだりしなくてはならない問題を有している。
【０００４】
本発明は従来の有する問題点に感みてなされたものであり、使いやすいスリッパを提供しようととするものである。
【０００５】
［課題を解決するための手段］
上記目的を達成するために本発明の前後スリッパは、足甲受け（ロ）がスライドする特質を有する。
【０００６】
［発明の実施の形態］
発明の実施の形態について図面を参照して説明する。
【０００７】
図１の底板（イ）の両側にワイヤー状のスライドレール（ハ）（ニ）を付け、スライドレール（ハ）（ニ）に図３の足甲受けの穴（チ）（リ）を通し図１のスライド止め（ホ）（ヘ）をつける。
底板（イ）には図２の（ト）のの膨らみをつける、足への引っかかりのためで、スリッパを脱ぐのに差し支えのないていどの膨らみにする。
【０００８】
［発明の効果］
本発明は上記のように構成されているので次に記載する効果を奏する。
【０００９】
従来のように体を回さなくてもそのまま前後スリッパの前方から足を入れることにより図１の足甲受け（ロ）がスライドしてスリッパが履けるのである。
【図面の簡単な説明】
【図１】前後スリッパの平面図である。
【図２】底板（イ）の立面図である。
【図３】足甲受け（ロ）の立面図である。
【記号の説明】
（イ）  底板                （ヘ）  スライド止め
（ロ）  足甲受け            （ト）  膨らみ
（ハ）  スライドレール      （チ）  レール穴
（ニ）  スライドレール      （リ）  レール穴
（ホ）  スライド止め
【図１】
2004160129.tif 000003
【図２】
2004160129.tif 000004
【図３】
2004160129.tif 000005
(57)【要約】      （修正有）【課題】歯の側面の黄ばみや汚れ、歯垢などを効率良く落とし、歯に挟まった物を取ることが出来る糸楊枝を提供する。【解決手段】糸楊枝の糸の形状を中間部分を平行に、両サイドに向かい徐々に太く（膨らみのあるテーパー状に）断面形状は楕円形（長円形）で、どの部分も溝（角）を周りに一定間隔に付けた形状とする。歯と歯の隙間にこの糸楊枝をすべり込ませ、前後に、斜めに動かす事により、楊枝の３６０度方向についている溝が機能して、歯垢、黄ばみ、詰まった物等を除去する。楊枝などでは誤って歯肉から血を出してしまったり、従来からある糸楊枝では材質が糸で出来ているために夏場等では雑菌が繁殖するなど、口腔衛生上も良くない。このような点についても材質がナイロン製なので使用後、水でさっと流しておけば良い。【選択図】  図１
2004160125.tif 000002
【特許請求の範囲】
【請求項１】
糸楊枝の楊枝の部分を糸状ではなく、歯の形状に合わせた形で、左右対象で平行部分とテーパー部分とからなり、一様に周りに溝を何ヶ所も付ける事により、一回の往復運動で溝の角を何ヶ所も使う事による糸楊枝の効率良い磨き効果と、歯に詰まった物を取り除くことが出来る糸楊枝。
【発明の詳細な説明】
【０００１】
【発明の属する技術分野】
この発明は、糸楊枝の糸の部分に溝を何ヶ所も設ける事による歯磨き効率を高めること（溝の角を使う）、平行部分とテーパー部分にすることにより、歯と歯の間の部分に対しても磨き効率を高められる、糸楊枝の糸に関するものである。
【０００２】
【従来の技術】
従来の糸楊枝の糸は、糸を歯と歯の間にすべり込みさせて、歯と歯の側面に当て、横、或いは前後もしくは斜めに動かして汚れ等を取り除くという方法とっています。
糸楊枝の糸が少しづつ切れて細くなって来た場合は、効率は大変悪くなって、新しいものに交換する。磨き効率の悪さと、歯に物が詰まった時など中々取れない。そして歯の汚れや歯垢といったものが取れにくい状況である。
【０００３】
【発明が解決しようとする課題】
これは次のような欠点があった。
イ  糸楊枝の糸が新しいうちは磨かれるが、効率が余り良くない。
ロ  歯と歯の間、特に隙間の小さいところに詰まった物が取れ難い。
ハ  糸楊枝の糸の寿命が短く、糸が磨り減って来たら交換するなど効率が悪い。
ニ  糸なので夏場など雑菌が繁殖する恐れがある。
本発明は、以上の欠点を解決するためになされたものである。
【０００４】
【課題を解決するための手段】
糸楊枝の糸を糸からナイロン製ものにし、糸は歯の形状を考え中央部分は平行に、そこから両側に膨らみのあるテーパー状に太くし、一様に溝を周りに付ける。どの部分の断面も楕円形（長円形）とする。
この溝の角の部分で歯垢や詰まった物を取り除く。
このような形状の糸楊枝を柄に付けた楊枝とする。
【０００５】
【発明の実施の形態】
以下、本発明の実施の形態を説明する
イ  糸楊枝の糸の部分を平行部分とテーパー部分とし、両サイドに向かい膨らみのあるテーパー状にする。
ロ  糸の部分に一様に溝（周りに）を付ける。（溝の外側の角が重要）
ハ  そのような糸を柄に取りつけた構成とする。
【０００６】
【発明の効果】
本発明を使用する事によって、歯磨きの効率と歯の汚れや歯垢が取れる。これまで特に汚れ（黄ばみ）がとれ難かった、歯と歯の間の面に対しても歯ブラシの毛が届かないところを効率良く磨くためきれいになる。また歯に挟まった物がとれる。口腔衛生上、使用後さっと水洗いをすれば雑菌が繁殖しにくい形状（材質）。
形状が楕円形（長円形）なので歯肉に当たっても傷をつけることが少ない。
【図面の簡単な説明】
【図１】本発明の糸楊枝の糸部分の図面である。
【図２】本発明の重要なテーパー部等の溝（角）の拡大斜視図である。
【図３】本発明の使用状態を示す斜視図である。
【図１】
2004160125.tif 000003
【図２】
2004160125.tif 000004
【図３】
2004160125.tif 000005
(57)【要約】【課題】沿い易く、息苦しくなく、繰り返し使用できるマスクを提供する。【解決手段】マスクの左右の両端に折り返しを設け、上下の両端にゴムシャーリング等で伸縮性を持たせた。【選択図】      図２
2004160123.tif 000002
【特許請求の範囲】
【請求項１】
左右の両端に折り返しを設けたカバー式マスク。
【請求項２】
上下の両端にゴムシャーリング等で伸縮性を持たせたカバー式マスク。
【発明の詳細な説明】
【０００１】
【発明の属する技術分野】
本発明は、鼻・口用のマスクに関するものである。
【０００２】
【従来の技術】
従来のマスクは、鼻・口にあたるガーゼ部分の左右の両端に輪状のゴムを通したものや、使い捨てのものであった。
【０００３】
【発明が解決しようとする課題】
従来のマスクは、隙間ができる・息苦しい・繰り返しの使用に向かない等の問題点があった。
【０００４】
本発明は、従来の技術の有するこのような問題点に鑑みてなされたものであり、その目的とするところは、沿い易く、息苦しくなく、繰り返し使用できるマスクを提供しようとするものである。
【０００５】
【課題を解決するための手段】
上記目的を達成するために、本発明は、左右の両端に折り返しを設け、上下の両端にゴムシャーリング等で伸縮性を持たせたのである。
【０００６】
【発明の実施の形態】
発明の実施の形態を実施例に基づき図面を参照して説明する。
図１のように、左右の両端に折り返し１を設け、上下の両端にゴムシャーリング等２を施し伸縮性をもたせる。
【０００７】
【実施例】
図２のよう、マスクの内側にシート３をあて、折り返し１にはさみ、シート３をマスクに装着して使用する。
【０００８】
【発明の効果】
本発明は、以上説明したように構成されているので、以下に記載されるような効果を奏する。
【０００９】
マスク本体をカバー式にしたため、ネット状の薄手素材を用いても使用に支障をきたすことがない。
【００１０】
上下の両端に伸縮性を持たせたことで、マスクが顔面に沿い易い。
【００１１】
マスクの形状が立体的になることで、息苦しさが軽減される。
【００１２】
シートを取り替えるだけで、常に清潔に保てる。
【００１３】
マスク本体も、洗濯後の型くずれも少なく、繰り返し使用できる。
【図面の簡単な説明】
【図１】本発明カバー式マスクの実施の形態の正面図である。
【図２】本発明カバー式マスクの実施例の裏面図である。
【符号の説明】
１  折り返し
２  ゴムシャーリング等
３  シート
【図１】
2004160123.tif 000003
【図２】
2004160123.tif 000004
(57)【要約】      （修正有）【課題】取り付けや取り外しが簡単で、ギブスの保護とギブスの剥離粉での衣服や寝具の汚れ防止、およびギブスを装飾するギブスカバーに関するものである。【解決手段】合繊部分配合糸を延伸して、合繊ウェーブ加工糸または天然糸の色糸との複合糸を筒状に編み上げる。編み上げた筒にギブスを挿入して熱風で収縮させギブスに密着固定させる。装着時の収縮はヘアードライヤーの熱風で果たせ、取り外しは鋏で切断すればよく、取り扱いが容易で適時交換が可能である。また筒編に意匠を施してギブスを装飾することが出来る。【選択図】図２
2004160127.tif 000002
【特許請求の範囲】
【請求項１】
（イ）合繊部分配合糸を加熱せずに延伸する。
（ロ）延伸した合繊部分配合糸と合繊ウェーブ加工糸または天然糸の色糸とで複合する。
（ハ）複合した糸を筒状に編み上げる。
（ニ）編み上げた筒の中にギブスを挿入する。
（ホ）筒の外側から熱風を当てて収縮密着させる。
（ヘ）外気で冷まして固定する。
（ト）取り外しは鋏やカッターナイフなどで切断する。
以上の如く構成された熱で収縮して密着固定するギブスカバー。
【発明の詳細な説明】
【０００１】
【発明の属する技術分野】
本発明は、事前に延伸することで合繊部分配合糸の加熱での収縮度を上げ、合繊部分配合糸は熱収縮後に硬化するので接触風合いをソフトにする事と意匠のために、合繊ウェーブ加工糸または天然糸の色糸とを複合して筒状に編み、編み上げた筒にギブスを挿入して外側から熱風で収縮密着させ、収縮密着した形のままで冷めて固くなる、ギブスを保護と装飾するギブスカバーに関するものである。
【０００２】
【従来の技術】
従来は、ギブスは包帯と石膏を使って固めただけであり、その為に使用中は、
Ａ．ギブスが汚れる。
Ｂ．ギブスの表面が損傷する。
Ｃ．ギブスの石膏剥離粉で衣服や寝具を汚す。
Ｄ．ギブスが汚れても、ギブスの交換が容易でなく、治療が終るまで汚れたままで使用する。
等々で、ギブスが汚れたり多少の損傷があっても、また、ギブスの剥離粉で衣服や寝具を汚したりすることがあっても、治療が終るまでそのままで使用せざるを得ず、当事者も周りの者も不潔感や不快感を受けることがあった。
【０００３】
【発明が解決しようとする課題】
本案は、それらを解消して、意匠性があり取り扱いや交換が容易で、ギブスの保護とギブス自体および衣服や寝具への汚れ防止をするために発明されたものである。
【０００４】
【課題を解決する為の手段】
いま、その構成を説明すると、
（イ）合繊部分配合糸を加熱後の収縮度を上げる為に延伸する。延伸を１．１倍から１．５倍の範囲に設定する事で、加熱での収縮を約４０％から約６０％の範囲に設計出来る。
（ロ）熱収縮後の部分配合糸は硬くなるため、収縮後の接触風合いをソフトにする事と意匠のために、延伸した合繊部分配合糸と合繊ウェーブ加工糸または天然糸の色糸を複合する。
（ハ）複合した糸を靴下編み機などで筒状に編み上げる。筒の長さは挿入するギブスの長さの約２倍強で、形状はストレート形とＬ字形の２種類でギブスの形に応じて使い分ける。例えば踵のギブスにはＬ字形を使用する。
（ニ）筒編みは１色での編み、または多色での柄編みにする。
（ホ）筒にギブスを挿入して、筒の中央をギブスの中央に位置を合わせる。
（ヘ）筒の外側からヘアードライヤー等の熱風を当てて収縮させる。約８０℃位から収縮する。
（ト）収縮してギブスに密着したら熱風を当てるのを止めて、外気で冷ます。
（チ）合繊部分配合糸は冷えて硬くなり、筒はギブスに密着固定して伸び縮みしなくなる。
（リ）熱で収縮してギブスに密着するだけで、溶解して接着することはなく、取り外しは鋏やカッターナイフなどで切断すればギブスから容易に外せる。
【０００５】
【発明の実施の形熊】
発明の実施の形態を図面について説明すれば、本発明は合繊部分配合糸を延伸して、合繊ウェーブ加工糸または天然糸の色糸▲９▼と複合させた糸▲１▼を筒状に編み上げたもの▲２▼で、ギブス▲４▼を挿入して熱風▲６▼を当てて収縮させてギブスに密着固定するものである。
【０００６】
合繊部分配合糸は加熱せずに元糸の１．１倍から１．５倍に延伸する。
【０００７】
延伸した合繊部分配合糸▲８▼と合繊ウェーブ加工糸または天然糸の色糸▲９▼を分離やズレないように複合加工糸▲１▼にする。複合は合撚加工、カバーリング加工または空気交絡加工で行うが用を成せばその限りでない。
【０００８】
複合加工糸▲１▼を靴下編み機等で筒▲２▼に編み上げる。
【０００９】
ギブス▲４▼を筒▲２▼の中に挿入して、筒▲２▼の中央をギブス▲４▼の中央の位置にあわせる。
【００１０】
ギブス▲４▼を挿入した筒▲２▼の外側から熱風▲６▼を当てて収縮させる。
【００１１】
ギブスの縁▲５▼からはみ出た筒端▲３▼は鋏などで切り離してもよい。
【００１２】
収縮後に筒端▲３▼がギブスの縁▲５▼に引っ掛かるように、筒端▲３▼に伸縮性のあるゴム等を編み込みまたは縫い付けてもよい。
【００１３】
ギブス▲４▼に密着固定したら熱風▲６▼を当てるのを止める。収縮した筒は外気で冷やされて固まり、以降は伸び縮みしなくなる。
【００１３】
外す時は鋏▲７▼またはカッターナイフなどで切断すればよい。
【００１５】
【発明の効果】
本発明は、以上説明したように構成されているので、以下に記載されるような効果を奏する。
【００１６】
（１）ギブスの損傷を防ぐ。
（２）ギブスの汚れを防ぐ。
（３）ギブスの石膏剥離粉で衣服や寝具を汚さない。
（４）筒に柄などの意匠を施して、ギブスを装飾出来る。
（５）収縮させる熱風はヘアードライヤーなどでよく、特別な専用装置は不要で、取り外しは鋏やカッターナイフなどでの切断で出来るために、家庭でも容易に取り付けや適時交換が可能である。
（６）使用前の筒編みの保管は常温の室内でよい。
【図面の簡単な説明】
【図１】延伸した合繊部分配合糸と合繊ウェーブ加工糸または天然糸の色糸との複合糸の略図
【図２】ギブスを筒に挿入して、ヘアードライヤーの熱風で収縮密着させている途中の略図
【図３】筒がギブスに密着固定した断面略図
【図４】取り外しのために鋏で筒を切断している途中の略図
【符号の説明】
▲１▼延伸した合繊部分配合糸と合繊ウェーブ加工糸または天然糸と複合した糸
▲２▼筒編
▲３▼筒端
▲４▼ギブス
▲５▼ギブスの縁
▲６▼熱風
▲７▼鋏
▲８▼合繊部分配合糸
▲９▼合繊ウェーブ加工糸または天然糸の色糸
▲１０▼ヘアードライヤー
▲１１▼体
【図１】
2004160127.tif 000003
【図２】
2004160127.tif 000004
【図３】
2004160127.tif 000005
【図４】
2004160127.tif 000006
(57)【要約】      （修正有）【課題】故人の個性や人格（ペットにあっては個性や性格）等、それらにまつわる事柄を形状に特徴を持たせ思い起こさせることで、会葬者に、故人（ペット）を永く記憶に留めることができるようにすると共に、故人（ペット）を他には無い特別な形の棺で見送りたいという遺族の気持ちが少しでもかなうようにした棺を提供する。【解決手段】棺Ａ１は棺本体１と蓋２を備えている。蓋２は建築物の屋根のような形状を有し、その長辺方向の一端側に取り外し可能な２枚一組の窓部４を設けている。棺本体１は既製のものでも流用できるように、屋根型をした蓋２は棺本体１に合せた寸法とし、被せるものとする。【選択図】  図１
2004160126.tif 000002
【特許請求の範囲】
【請求項１】
蓋の部分を屋根型の形状としたことを特徴とする、人及びペット用の棺。
【発明の詳細な説明】
【０００１】
【発明の属する技術分野】本発明は、葬儀において会葬者に、人にあっては故人の個性や人格を、ペットにあっては個性や性格を回想させることができる棺に関するものである。更に詳しくは、故人にあっては主義や趣味、家族の故人に対する思い等を形として表し会葬者に数々の思い出を深く記憶に留めることができるようにした棺、ペットにあっては好物や特技、飼い主のペットに対する思い出を形として表し会葬者に数々の思い出を深く記憶に留めることができるようにした棺に関する。
【０００２】
【従来技術】葬儀は、故人（以下ペットの場合は、故人をペットと読み替え、人格は性格と読み替えるものとする）との離別の儀式であるが、それとともに深く記憶に留めるための儀式でもある。このような儀式において使用される棺には様々な種類があるが、一般的には遺体の顔が見えるように扉等を設けた上蓋と、遺体を入れる箱で構成されている。この棺には様々な彫刻や絵が施されてはいるが、形状的に大差は無く遠目には違いが判りづらく個性が無い。
【０００３】
【発明が解決しようとする課題】上に記したような従来型の棺には、次のような課題があった。すなわち、従来の棺には、故人が生前、個性を持って生きてきたことを表す、具体的表現が何らされておらず、したがって他との明瞭な区別がされていない。ゆえに、会葬者に与える印象も薄くなりがちであり、残された遺族の心情からしても心残りな部分であった。また、最近は、火葬施設にも様々な制約があり、副葬品も制限される傾向にある。このような、生前の愛用品や趣味を生かせない現状で、遺族の特別な故人への思いを表現することは、事実上不可能になっている。
【０００４】
（目的）本発明は上記課題をするもので、第１の目的は故人の個性、主義や趣味等、故人を連想させる形状や装飾を表現し、葬儀に参列した会葬者に故人の個性や人格を、深く記憶に留めることができるようにした棺を提供することである。また第２の目的は、棺に個性を持たせることにより、故人を特別な方法で見送ってあげたいとゆう遺族の心情が多少なりともかなうようにした棺を提供することである。第３に、上記のような棺を、既存下箱に安価で手軽にはめ込めるよう、既存の規格に合せた寸法と納まりを持った棺を提供することである。
【０００５】
【課題を解決するための手段】上記目的を達成するために講じた本発明の手段は次の通りである。第１の発明にあっては、蓋の形状を屋根型とし、他の棺との差別化をはかることを特徴とする、棺である。
【０００６】本発明にいう「個性や人格」とは、例えば、故人が生前に住んでいた家の形状や主張等である。つまり人間の住む家は、人によって様々で同じものは二つとなく、生活の中心であり、住んでいる人間の人格をも表している。
【０００７】蓋の形状を屋根型にする手段としては、例えば棺に長辺方向に直角な屋根下地の角材に、薄ベニヤを貼り付け、その仕上げに薄く切断した長方形の木板を、半分づつ、ずらしながら接着剤で貼り付けて、頂上部に円柱型の棟を横に流して形を整える。なお下地の角材は、まっすぐなものから、反りの入ったのものまであり多様である。好みによりかつお木等の装飾も可能であり、取り付けも合い欠きで組み合わせ、火葬時に残る金属製のビスや釘は使用しない。
【０００８】既製棺下箱に屋根を被せる手段としては、屋根型の当該蓋が安定し、既存下箱に乗るよう、蓋下側四方にまわした逆Ｌ型の断面形状の枠を、屋根下地角材に固定する。
【０００９】
【発明の実施の形態】本発明の実施の形態を図面に基づき更に詳細に説明する。図１は本発明に係る棺の第１の実施の形態を示す分解斜視図である。符号Ａ１は棺で、上部が開口した箱状の棺本体１と、屋根型の形状をした蓋体２で構成される。蓋体２は既製の棺に寸法を合せて製作されるものであるので、棺本体１は、既製の棺で代用も可能である。蓋体２の長辺方向の一端側（頭部側）には、開閉可能な窓部４が設けてある。蓋体２の上部は、窓部４を含め建築物の屋根（切り妻屋根）の形状をしており、棟部５を除き薄いベニヤ等の屋根下地９に薄い木板１０を貼り付け、建物らしい分囲気をかもしだす。飾り棟部５は、屋根を構成する２面の頂点部に取り付け、この両面の木口を隠す役割と意匠を兼ね備えたもので、材質は木である。窓部４の詳細断面Ａ−Ａを図２に示す。窓部４はそれぞれ窓構成部品６と窓構成部品７に分かれ、窓構成部品６を先に取り外し、次に窓構成部品７を取り外す。取り付ける場合はその逆の順番で行う。棟木８は蓋体２の頂部長辺方向に下地として取り付けられるものであるが、窓部４にかかる部分においては、二ヶ所とも開口より１センチメートルほど張り出したところで切断し、窓構成部品６および７を受けるものでもある。
【００１０】（作用）図１を参照して、本実施の形態に係るＡ１の作用を説明する。棺Ａ１は、葬儀において、蓋体２の個性ある形状を周囲及び遠くから見ることができるので、故人に関係の深かった会葬者に対し、故人の個性や人格を改めて知らせたり思い起こさせて、生前の故人を深く印象付けることができる。また、大事な家族を特別な方法で見送ってあげたいという、遺族の気持ちをある程度かなえることができる。
【００１１】
【発明の効果】本発明は上記構成を備え、次の効果を有する。
（ａ）本発明に係る棺によれば、屋根型という特殊な形状によって、故人の生前の個性や人格の他、趣味（ペットにあっては好物や特技）等ついても、表すことができるので、故人とゆかりのある会葬者に対し、故人を永く記憶に留めることができる。また、他とは違う特別な棺で見送ってあげたいという遺族の気持ちを多少なりともかなえることができる。
【００１２】（ｂ）棺に用いる屋根型の蓋は、意匠的に様々な形状が可能であり、結果、それぞれの遺族の好み、予算にあった意匠が実現できる。
【００１３】（ｃ）屋根型の蓋を持つ棺は、既存の単調な形状と比較して、美麗で気品が漂い、葬儀という故人にとって現世最後の儀式にふさわしい分囲気をかもし出すことができる。
【００１４】
【図面の簡単な説明】
【図１】本発明に係る棺の第１の実施の形態を示す斜視図である。
【図２】本発明に係る上記棺の窓部を表す詳細断面図である。
【符号の説明】
Ａ１  棺
１    棺本体（蓋を除く部分）
２    蓋
３    屋根
４    窓部
５    飾り棟
６    窓構成部品
７    窓構成部品
８    棟木
９    屋根下地
１０  木板
【図１】
2004160126.tif 000003
【図２】
2004160126.tif 000004